(57)【特許請求の範囲】
【請求項１】
発光部と、前記発光部を撮像装置本体に対して収納される収納位置と前記撮像装置本体に対して突出するポップアップ位置との間で移動させるポップアップ機構とを有する撮像装置であって、
前記ポップアップ機構は、前記発光部を前記ポップアップ位置に向けて付勢する付勢部材と、前記撮像装置が撮影不可能なオフ状態から撮影可能なオン状態となるときに移動する移動部材と、前記発光部が前記収納位置に位置するときに前記発光部を係止可能な係止部材と、を有し、
前記係止部材が前記発光部を係止していない状態で前記係止部材を第１の方向に移動させることで、前記発光部を前記移動部材の移動に連動させる自動ポップアップ状態と、前記発光部を前記移動部材の移動に連動させない手動ポップアップ状態と、を切り替えることができ、
前記手動ポップアップ状態に切り替えられるときに前記係止部材を前記第１の方向とは異なる第２の方向に移動させることで、前記係止部材が前記発光部を係止する状態と、前記係止部材が前記発光部を係止しない状態と、を切り替えることができ、
前記手動ポップアップ状態に切り替えられる場合であって、前記撮像装置が前記オン状態になったときには、前記係止部材を前記第２の方向に移動させることで、前記係止部材が前記発光部を係止しない状態となり、前記付勢部材の付勢力によって前記発光部が前記収納位置から前記ポップアップ位置に移動することを特徴とする撮像装置。
【請求項２】
前記自動ポップアップ状態に切り替えられるとき、前記係止部材は前記発光部を係止しない第１位置に保持され、
前記手動ポップアップ状態に切り替えられるとき、前記係止部材は前記発光部を係止する第２位置と前記発光部を係止しない第３位置との間を移動可能に保持され、
前記係止部材は、前記第１位置または前記第３位置に位置する際に、前記第１の方向に移動可能であって、前記第２位置または前記第３位置に位置する際に、前記第２の方向に移動可能であることを特徴とする請求項１に記載の撮像装置。
【請求項３】
前記自動ポップアップ状態に切り替えられているか、前記手動ポップアップ状態に切り替えられているかを検出する検出手段と、
静止画を撮影する静止画撮影モードまたは動画像を撮影する動画撮影モードを設定することのできるモード切替手段と、をさらに有し、
前記撮像装置が前記オン状態となったときに、前記自動ポップアップ状態に切り替えられていることを前記検出手段が検出した場合、前記モード切替手段は前記静止画撮影モードに切り替え、
前記撮像装置が前記オン状態となったときに、前記手動ポップアップ状態に切り替えられていることを前記検出手段が検出した場合、前記モード切替手段は前記動画撮影モードに切り替えることを特徴とする請求項１または２に記載の撮像装置。
【発明の詳細な説明】
【技術分野】
【０００１】
本発明はカメラに設けられたポップアップ式ストロボ装置に関するものである。
【背景技術】
【０００２】
カメラには、暗い被写体の光量を補うため、筐体の一角にストロボが設けられている。特に小型であって、かつ筐体に対して相対的に鏡筒が大きなカメラでは、ストロボ発光部を上昇させるポップアップ方式のストロボを搭載したものが知られている。これは鏡筒先端でストロボ光が遮られて被写体に届かなくなる、所謂「ケラレ」現象を防ぐためである。
特許文献１に開示の装置では、起動時に鏡筒がカメラ前方に繰り出すのに連動して、ストロボ発光部をカメラの上方向へ跳ね上げる。撮影の機会を逃さないために、撮影中には常時ポップアップした状態となるため、ストロボが常時発光位置にある。
また特許文献２に開示の装置には、手動または電動のロック機構で発光部を係止し、必要時にロックを解除してバネ力でポップアップさせる機構が設けられている。ユーザは必要なときだけ発光部をポップアップさせ、撮影終了後に収納できるので邪魔にならず、ポップアップした発光部が不用意に衝撃や外圧を受けないように防止できる。
【先行技術文献】
【特許文献】
【０００３】
【特許文献１】特開平７−１９９２９５号公報
【特許文献２】特開昭６２−１２１４２８号公報
【発明の概要】
【発明が解決しようとする課題】
【０００４】
前記特許文献１の装置では、撮影中に常時ストロボがポップアップしているため、不必要な場合は撮影の邪魔になることがあり、ストロボ発光部が衝撃や外圧を受けるおそれがある。また突然の撮影機会に備えて常時、発光用コンデンサへの充電を要するため、不要な電力を消費する。この他、美術館などのストロボの使用禁止場所では、ユーザがポップアップ状態のストロボを発光させるのではないかといった誤解を受け、撮影を制止させられる等のトラブルを招くおそれがある。一方、ストロボは暗い被写体へ向けてごく短い時間に光を照射するもので、専ら静止画撮影用に限られ動画撮影時には不要であるが、動画撮影時にもポップアップしてしまうので、煩わしい。
前記特許文献２の装置では、ユーザがポップアップに手間取り、撮影機会を逃してしまうおそれがある。またポップアップ時の衝撃音を極力低減する必要があり、衝撃によりＡＦ（オートフォーカス）調整にズレなどを引き起こさないように配慮する必要がある。
この様に、上記した２つのポップアップ方式には一長一短があり、ユーザの好みや状況に応じて両方式を使い分けることが望ましい。
そこで本発明の目的は、撮像装置を撮影不能状態から撮影可能状態にするとき、発光部を自動的にポップアップ位置に移動させるか、発光部を収納位置に維持したままとするかを切り替えることが可能な撮像装置を提供することにある。
【課題を解決するための手段】
【０００５】
上記の課題を解決するために本発明に係る装置は、発光部と、前記発光部を撮像装置本体に対して収納される収納位置と前記撮像装置本体に対して突出するポップアップ位置との間で移動させるポップアップ機構とを有する撮像装置であって、前記ポップアップ機構は、前記発光部を前記ポップアップ位置に向けて付勢する付勢部材と、前記撮像装置が撮影不可能なオフ状態から撮影可能なオン状態となるときに移動する移動部材と、前記発光部が前記収納位置に位置するときに前記発光部を係止可能な係止部材と、を有し、前記係止部材が前記発光部を係止していない状態で前記係止部材を第１の方向に移動させることで、前記発光部を前記移動部材の移動に連動させる自動ポップアップ状態と、前記発光部を前記移動部材の移動に連動させない手動ポップアップ状態と、を切り替えることができ、前記手動ポップアップ状態に切り替えられるときに前記係止部材を前記第１の方向とは異なる第２の方向に移動させることで、前記係止部材が前記発光部を係止する状態と、前記係止部材が前記発光部を係止しない状態と、を切り替えることができ、前記手動ポップアップ状態に切り替えられる場合であって、前記撮像装置が前記オン状態になったときには、前記係止部材を前記第２の方向に移動させることで、前記係止部材が前記発光部を係止しない状態となり、前記付勢部材の付勢力によって前記発光部が前記収納位置から前記ポップアップ位置に移動することを特徴とする。
【発明の効果】
【０００６】
本発明によれば、撮像装置を撮影不能状態から撮影可能状態にするとき、発光部を自動的にポップアップ位置に移動させるか、発光部を収納位置に維持したままとするかを切り替えることが可能な撮像装置を提供することができる。
【図面の簡単な説明】
【０００７】
【図１】本発明の実施形態に係る撮像装置の構成例を示す分解斜視図である。
【図２】図１の撮像装置を前面から見たときの斜視図である。
【図３】ロックレバーの操作部について３位置を説明する図である。
【図４】鏡筒ユニットの分解斜視図である。
【図５】ストロボユニットの分解斜視図である。
【図６】起動時におけるストロボのポップアップ動作を説明する図である。
【図７】起動時にストロボが収納状態を維持することを説明する図である。
【発明を実施するための形態】
【０００８】
以下に本発明の実施形態について、添付図面を用いて説明する。
図１は本実施形態に係る撮像装置の構成を例示し、図２は撮像装置の３状態（Ａ）乃至（Ｃ）を示す。
撮像装置本体１は、そのフロントカバー２とリアカバー３がベース４に取り付けられ、鏡筒ユニット５、ストロボユニット６を備える。撮像装置本体１の上面に設けられたメインスイッチ７がＯＦＦ（オフ）状態の場合、鏡筒ユニット５は図２（Ａ）の様に沈胴して撮像装置本体１に収納され、撮影不能状態となる。メインスイッチ７がＯＮ（オン）状態になるとカメラの電源がＯＮになり、鏡筒ユニット５は撮像装置本体１からワイド画角位置まで繰り出して図２（Ｂ）に示す撮影可能状態になる。さらに、撮影中にズームレバー８が操作されると、図２（Ｃ）の様に鏡筒ユニット５がテレ画角位置まで繰り出し、その間、撮影画角が調整可能である。ユーザがレリーズボタン９を操作すると、撮影動作が開始する。
【０００９】
ストロボユニット６は、撮像装置本体１にてレリーズボタン９とは反対側に配置されている。その理由は、ユーザが右手で撮像装置本体１を把持して撮影する場合に、発光部１０を手で覆わないようにするためである。メインスイッチ７がＯＦＦ状態の図２（Ａ）では、発光部１０が撮像装置本体１に収納された状態である。起動時ポップアップ方式でメインスイッチ７がＯＮ状態になると、鏡筒ユニット５の繰り出しに連動して撮像装置本体１から発光部１０がポップアップし、図２（Ｂ）の状態になる。
【００１０】
図３は撮像装置本体１の背面図である。ロックレバー１１は画像表示部１３の左上方に位置し、その操作部１１ａが撮像装置本体１のリアカバー３に形成した開口部３０１から突出しており、ユーザが操作する。操作部１１ａは３つの位置に設定可能である。開口部３０１はＬ字状をなし、図３（Ａ）はロックレバー１１の操作部１１ａが開口部３０１の右端の第１位置３ａにある状態を示す。図３（Ｂ）は操作部１１ａが開口部３０１の左端から下がった第２位置３ｂにある状態を示し、図３（Ｃ）は操作部１１ａが第２位置３ｂから上がった第３位置３ｃにある状態を示す。図中の−Ｘ方向は撮像装置本体１の背面から見て右方を示し、Ｘ方向は左方を示す。
図３（Ａ）に示すように、ユーザが操作部１１ａをＸ方向に操作して第１位置３ａに位置させる場合、カメラの電源ＯＮに連動して発光部１０がポップアップし、カメラの電源ＯＦＦに連動して発光部１０が自動で収納される。つまり、第１位置３ａでは自動ポップアップ位置に設定される。また図３（Ｂ）の様に、ユーザが操作部１１ａを操作して第２位置３ｂに位置させると、カメラの電源ＯＮに連動して発光部１０はポップアップしない。つまり第２位置３ｂでは手動ポップアップのダウン位置に設定される。発光部１０のポップアップが必要な時には、ユーザが操作部１１ａを操作して第３位置３ｃに位置させる。この位置では手動ポップアップのアップ位置に設定され、発光部１０が撮像装置本体１からポップアップする。
また、撮像装置本体１の背面にて画像表示部１３の右側にはモード切替ボタン１２が設けられており、ユーザは撮影モードを設定できる。モード切替ボタン１２の操作により静止画撮影モードが設定された場合、レリーズボタン９が押下されると１枚の静止画が撮影される。一方、動画撮影モードが選択された場合、動画撮影が可能となる。また、ユーザはストロボ連動モードを選択する事もできる。ストロボ連動モードは、撮影モードの設定をモード切替ボタン１２ではなく、操作部１１ａの操作に連動して随時に切り替えるモードである。選択された撮影モードは、画像表示部１３の表示画面の一部にアイコンで表示されるので、ユーザは撮影中に確認できる。
【００１１】
次に、ストロボユニット６のポップアップ機構について構成を説明する。図４は鏡筒ユニット５の分解斜視図であり、図５はストロボユニット６の分解斜視図である。
図４に示すように鏡筒ユニット５は、ホルダー１４に取り付けた固定筒１５と、その外側を覆う鏡筒カバー１６を備え、これらによって基本の構造体を形成する。円筒状の駆動リング１７は固定筒１５の外周を回転する。駆動リング１７の外周面にはギア部１７ａが形成されており、モータ１８からギア列１９を介してギア部１７ａが駆動されて、駆動リング１７が光軸まわりに回転する。固定筒１５の内周部にはカム溝１５ａが設けられており、１群鏡筒２０および２群鏡筒２１はカム溝１５ａに従って光軸方向に移動する。つまり、電源ＯＦＦ時には１群鏡筒２０および２群鏡筒２１が鏡筒カバー１６内に収納される収納位置（図２（Ａ）参照）に来た状態となる。また電源ＯＮ時には、１群鏡筒２０および２群鏡筒２１がワイド画角位置（図２（Ｂ）参照）まで繰り出した状態となる。その後、ユーザはズームレバー８を操作し、１群鏡筒２０および２群鏡筒２１をワイド画角位置とテレ画角位置（図２（Ｃ）参照）の間の任意位置に停止させることができる。
【００１２】
ポップアップ機構の動作に関連する部材は、カムフォロア２２とそのガイドシャフト２３である。カムフォロア２２は駆動リング１７に係合して当該駆動リングの回転に伴って光軸に平行な方向に移動する移動部材であり、鏡筒カバー１６に取り付けたガイドシャフト２３に沿って移動する。カムフォロア２２に設けたガイドピン２２ａは、駆動リング１７のカム溝１７ｂに係合しており、駆動リング１７の回転に応じて、ガイドシャフト２３に沿って光軸に平行な方向、すなわち撮像装置の前後方向（被写体側を前方とする）に沿って移動する。駆動リング１７のカム溝１７ｂの形状は、以下のように規定されている。駆動リング１７が収納位置にある時にはカムフォロア２２が移動範囲の最前端に位置する。また駆動リング１７がワイド画角位置にある時にはカムフォロア２２が移動範囲の最後端に位置する。駆動リング１７がワイド画角位置とテレ画角位置の間にある場合、カムフォロア２２は移動範囲の最後端に位置したまま動かない。このように、カムフォロア２２は駆動リング１７が収納位置からワイド画角位置まで移動する動作に伴って移動するが、ワイド画角位置からテレ画角位置の間は動かないように構成されている。具体的な説明は図６、図７を用いて後で詳述する。
【００１３】
次に、図５を用いて、ストロボユニット６の構成を説明する。ストロボユニット６にて、カムフォロア２２がその移動範囲の最前端から最後端に退避する動きに連動して、発光部１０がその収納位置からポップアップ位置へと移動する。またカムフォロア２２がその移動範囲の最後端から最前端に移動する動きに連動して、発光部１０が収納位置へ戻る。
まず、ストロボユニット６の基本部分であるストロボベース２４から説明する。ストロボベース２４の上部に形成された収納部２４ａは発光部１０を収納する。収納部２４ａの両側面には、発光部１０の摺動軸２５を摺動させて案内する、一対のガイド２４ｂがそれぞれ形成されている。発光部１０には一対の軸受１０ａが設けられており、リンク２６が、第一バネ２７と第一シャフト２８を用いて取り付けられる。リンク２６の一端部に第一バネ２７が装着され、第一シャフト２８がこれらを貫通した状態で両端部が軸受１０ａに嵌合されるので、発光部１０に対してリンク２６は回動自在である。
【００１４】
ストロボベース２４に設けた一対の軸受２４ｃには、リンク２６が、リンクレバー２９と第二バネ３０、第二シャフト３１を用いて取り付けられる。リンクレバー２９は、これに第二バネ３０を装着し、第二シャフト３１を用いてリンク２６に取り付けられるので、リンク２６に対して回動自在である。リンクレバー２９にはストッパー２９ａが形成され、リンク２６の受け面２６ａに当接する（図６参照）。リンクレバー２９はカムフォロア２２に連動して移動可能なリンク部材となる。第二バネ３０は第一バネ２７より線径が太く、かつ許容応力の強い材料で作成され、より強いバネ力が得られるように設計されている。これらのバネは発光部１０を装置本体から突出させる方向に付勢する。
ストロボベース２４に形成されたリード線挿通口２４ｄは、複数のリード線３２を差し込んで固定し、収納部２４ａの下へ通す。複数のリード線３２は発光部１０から引き廻されて、リード線挿通口２４ｄから収納部２４ａの外に引き出される。
ストロボベース２４には一対の軸受部２４ｅが形成され、発光部カバー３３がカバーバネ３４とカバーシャフト３５を用いて取り付けられる。発光部カバー３３は、発光部１０を外側から覆う部材であり、カバーバネ３４と共に、カバーシャフト３５によって一対の軸受部２４ｅに回動自在に取り付けられる。カバーバネ３４は発光部カバー３３を常に閉じ方向へ付勢する。
【００１５】
ストロボベース２４には一対の軸受２４ｆが形成され、前述したロックレバー１１が軸３６とロックバネ３７を用いて取り付けられる。ロックレバー１１は、発光部１０に形成した凹部１０ｂを係止可能な係止部材となる。ロックレバー１１は、一対の軸受２４ｆに軸３６を介して取り付けられるので、軸３６に沿って図５のＸ方向および−Ｘ方向に移動できる。また、ロックレバー１１が軸３６を中心として回動することで、操作部１１ａは図５のＹ方向に移動する。図３にて説明した様に、ロックレバー１１の操作部１１ａはリアカバー３に設けたＬ字型の開口部３０１から外部に突出しており、ユーザが操作できるようになっている（位置３ａ乃至３ｃ参照）。図３（Ａ）の様に、操作部１１ａが−Ｘ方向に移動して第１位置３ａ（自動ポップアップ位置）に設定されている場合には、操作部１１ａが開口部３０１に規制されるため、Ｙ方向および−Ｙ方向には移動できず、Ｘ方向への移動のみ可能である。また、操作部１１ａが図３（Ｂ）に示す第２位置３ｂ（手動ポップアップのダウン位置）に設定されている場合には、操作部１１ａが開口部３０１に沿ってＹ方向に移動可能である。つまりユーザは操作部１１ａを操作し、第２位置３ｂと第３位置３ｃの間でＹ方向および−Ｙ方向の操作位置を変更できる。
【００１６】
操作部１１ａを図３（Ａ）に示す第１位置３ａ（自動ポップアップ位置）からＸ方向に移動させると、操作部１１ａが図３（Ｃ）に示す第３位置３ｃ（手動ポップアップのアップ位置）になる。このとき、付勢部材としてのロックバネ３７は、操作部１１ａが第２位置３ｂ（手動ポップアップのダウン位置）に移動する様に、ロックレバー１１を付勢する。また、操作部１１ａが第２位置３ｂとなるとき、ロックレバー１１のフック部１１ｂが発光部１０に形成した凹部１０ｂに係止する。すなわち、ユーザが操作部１１ａを図３（Ａ）に示す第１位置３ａ（自動ポップアップ位置）からＸ方向に第３位置３ｃ（手動ポップアップのアップ位置）まで移動させると、ロックバネ３７の付勢力により、ロックレバー１１が回動する。ロックレバー１１が回動すると、操作部１１ａは図３（Ｃ）に示す第３位置３ｃ（手動ポップアップのアップ位置）から−Ｙ方向に第２位置３ｂ（手動ポップアップのダウン位置）まで移動する。操作部１１ａが第２位置３ｂ（手動ポップアップのダウン位置）に位置するとき、フック部１１ｂが凹部１０ｂに係止する。ここで、ユーザが操作部１１ａを第２位置３ｂ（手動ポップアップのダウン位置）からＹ方向に第３位置３ｃ（手動ポップアップのアップ位置）まで移動させると、ロックレバー１１が軸３６を中心として回動して、フック部１１ｂと凹部１０ｂとの係止を解除する。そして、ユーザが操作部１１ａを第３位置３ｃ（手動ポップアップのアップ位置）から−Ｘ方向に第１位置３ａ（自動ポップアップ位置）まで移動させると、フック部１１ｂが凹部１０ｂに係止しない状態が維持される。
【００１７】
ストロボ基板３８はストロボベース２４にビス３９で固定され、リード線挿通口２４ｄから引き出された複数のリード線３２が接続されている。ストロボ基板３８にはロックレバー１１の動作状態を検出するための検出スイッチ４０が実装されている。すなわち、ユーザが図３（Ａ）の様にユーザが操作部１１ａを第１位置３ａ（自動ポップアップ位置）に位置させるとき、ロックレバー１１が検出スイッチ４０をＯＮする。したがって、操作部１１ａが第１位置３ａ（自動ポップアップ位置）に設定されたことが検出される。また、図３（Ｂ）および図３（Ｃ）の様にユーザが操作部１１ａを第２位置３ｂ（手動ポップアップのダウン位置）および第３位置３ｃ（手動ポップアップのアップ位置）に位置させるとき、ロックレバー１１は検出スイッチ４０をＯＮしない。これにより、操作部１１ａが自動ポップアップ位置に設定されていないことが検出される。この検出結果は不図示のカメラシステム制御部に送られ、ユーザがメインスイッチ７を押してカメラを起動させた時の撮影モードに反映される。すなわち、モード切替ボタン１２により「ストロボ連動モード」が選択されている場合、以下のモードでカメラが起動する。
・操作部１１ａが第１位置３ａ（自動ポップアップ位置）の場合、「静止画撮影モード」（レリーズボタン９を押すと一枚の静止画を撮影するモード）。
・操作部１１ａが第１位置３ａ（自動ポップアップ位置）にない場合、「動画撮影モード」（レリーズボタン９を押すと動画像を撮影するモード）。
ストロボベース２４の下部に取り付けられるメインコンデンサ４１は、ストロボ発光に必要な電荷を予め充電し、発光エネルギーを発光部１０のランプに供給する。
【００１８】
次に、ストロボユニット６の動作を説明する。図６はロックレバー１１の操作部１１ａを第１位置３ａ（自動ポップアップ位置）に設定した場合のポップアップ動作を、（Ａ）乃至（Ｅ）の各状態に示す。図６の左方がカメラの前方に相当する。
図６（Ａ）は発光部１０がストロボベース２４の収納部２４ａ内に収納された状態を示す。このとき、駆動リング１７が収納位置にあり、前述の様にカムフォロア２２が図の左端位置に移動して、リンクレバー２９を時計回り方向に押している。このリンクレバー２９に取り付けられた第二バネ３０は第二シャフト３１を回転中心として、リンク２６を時計回り方向に押している。その力で、リンク２６は第一シャフト２８を介して発光部１０を押し下げるので、発光部１０は摺動軸２５を回転中心として反時計回り方向へ回転し、収納状態を維持する。また、発光部カバー３３は、カバーシャフト３５を回転中心として、カバーバネ３４の力によって反時計回り方向へ付勢されて閉じている。
【００１９】
次に、メインスイッチ７のＯＮ操作によりカメラが起動すると、図６（Ｂ）の様にカムフォロア２２がガイドシャフト２３に沿って図の右方に移動する。その際、リンクレバー２９が第二シャフト３１を回転中心として、第二バネ３０の力で反時計回り方向に回転する。するとリンクレバー２９のストッパー２９ａがリンク２６の受け面２６ａに当たり、それ以上、リンクレバー２９がリンク２６に対して回転しない状態となって、リンクレバー２９とリンク２６が係止する。さらにカムフォロア２２が右方に移動すると、図６（Ｃ）の様に、第一バネ２７の力によってリンク２６が発光部１０に対して反時計回り方向に回転する。これにより、摺動軸２５が一対のガイド２４ｂに案内されて左方に移動するので、発光部１０全体が上昇し始める。このとき、発光部カバー３３が発光部１０に押し上げられて時計回り方向に回転して開く。そしてさらにカムフォロア２２が右方に移動して図６（Ｄ）の位置に来ると、発光部１０はさらに持ち上がり、発光部カバー３３はカバーバネ３４の力によって反時計回り方向に回転して閉じる。さらに、カムフォロア２２が所定量だけ右方に移動すると図６（Ｅ）に示す状態となる。カムフォロア２２とリンクレバー２９との間に所定量の間隙が生じ、ポップアップ動作が完了する。
【００２０】
次に、図７を用いて、ロックレバー１１の操作部１１ａが第２位置３ｂ（手動ポップアップのダウン位置）に設定されている場合を、（Ａ）乃至（Ｅ）の各状態に従って説明する。図７の左方がカメラの前方に相当する。
図７（Ａ）は発光部１０の収納状態であり、リンク２６が発光部１０を押し下げる力で収納状態が維持される。このときロックレバー１１のフック部１１ｂは、ロックバネ３７で付勢されて発光部１０の凹部１０ｂに係止しており、収納状態を保持する役目を果たしている。この状態でメインスイッチ７のＯＮ操作によりカメラが起動すると、図７（Ｂ）の様にカムフォロア２２が右方に移動する。第一バネ２７の力によって発光部１０がポップアップしようとするが、フック部１１ｂが凹部１０ｂに係止したままであるため、発光部１０の上昇が阻止され、図７（Ｃ）の様にポップアップ動作は行われない。そのため、カムフォロア２２がさらに右方に移動して、図７（Ｄ）を経て、図７（Ｅ）の右端位置まで移動しても、発光部１０は収納状態のままである。
このように、操作部１１ａが手動ポップアップのダウン位置にある場合、発光部１０はストロボベース２４の収納部２４ａに収納されたままの状態である。この状態で、ユーザが操作部１１ａを第１位置３ａ（自動ポップアップ位置）に設定すると、ロックレバー１１のフック部１１ｂと、発光部１０の凹部１０ｂとの係止が解除される。第一バネ２７の力によってリンク２６が発光部１０に対して回転し、後は図６にて説明したようにポップアップ動作が行われる。
【００２１】
撮影中にユーザがストロボのポップアップを行いたい場合には、図３（Ｃ）の様にロックレバー１１の操作部１１ａを第２位置３ｂ（手動ポップアップのダウン位置）から第３位置３ｃ（手動ポップアップのアップ位置）へ動かせばよい。これにより、発光部１０の凹部１０ｂに引っ掛かっていたロックレバー１１のフック部１１ｂが外れるので、第一バネ２７の力でリンクレバー２９が回転し、図６（Ｅ）の様に発光部１０がポップアップした状態となる。その後、ユーザはロックレバー１１の操作部１１ａを放せば、ロックバネ３７の付勢によりロックレバー１１が図３（Ｂ）に示す第２位置３ｂへ戻る。
【００２２】
次にカメラの動作を説明する。
・メインスイッチ７がＯＦＦ状態の場合
図６（Ａ）および図７（Ａ）の様にカムフォロア２２が左端に移動した位置にあり、リンクレバー２９を時計回り方向に押さえ付けている。前述の様に第二バネ３０は第一バネ２７より強いバネ力になる様に設計されている。よって第二バネ３０の力に押されてリンク２６が第一バネ２７のチャージにより弾性エネルギーを蓄えさせながら、発光部１０を押し下げた状態に維持している。つまり、発光部１０を収納した状態でさらにリンク２６は収納方向へ付勢されているので、ロックレバー１１の状態とは無関係に発光部１０の収納状態が維持される。
【００２３】
・メインスイッチ７がＯＮ状態になったとき、ロックレバー１１の操作部１１ａが第１位置３ａ（自動ポップアップ位置）に設定されている場合
鏡筒ユニット５が沈胴状態からワイド端状態まで繰り出し始めるのに伴って、図６（Ｂ）の様にカムフォロア２２が右方に移動する。その後は図６（Ｃ）、（Ｄ）の様に発光部１０がポップアップする。そして、図６（Ｅ）の様に、さらにカムフォロア２２がリンクレバー２９から所定量離れた位置まで移動したとき、鏡筒ユニット５がワイド端位置に達する。このように、自動ポップアップ位置の設定状態でユーザがメインスイッチ７をＯＮ状態にすれば、発光部１０が自動的に収納位置からポップアップ位置へ移動し、ストロボを使った撮影を開始することができる。
【００２４】
・メインスイッチ７がＯＮ状態になったとき、ロックレバー１１の操作部１１ａが第２位置３ｂ（手動ポップアップのダウン位置）に設定されている場合
発光部１０の凹部１０ｂにロックレバー１１のフック部１１ｂが係止しているので、図７の様にカムフォロア２２が右方に移動しても、第一バネ２７の力でリンクレバー２９が回転することは無く、発光部１０は動かない。鏡筒ユニット５がワイド端位置に達しても、発光部１０はそのまま収納位置に留まり続ける。このように、手動ポップアップのダウン位置の設定状態でユーザがメインスイッチ７をＯＮ状態にすれば、発光部１０を収納したままで撮影を開始することができる。
【００２５】
また、「ストロボ連動モード」が選択された場合、メインスイッチ７をＯＮ状態にした時の操作部１１ａの設定位置に対応した撮影モード、つまりカメラを起動させた時に初期設定される撮影モードでカメラが起動する。「ストロボ連動モード」が選択されていた場合、自動ポップアップ位置であれば、前記静止画撮影モードでカメラが起動し、自動ポップアップ位置でなければ、前記動画撮影モードでカメラが起動する。これにより、ユーザはロックレバー１１を操作するだけで、ストロボ使用機会の多い静止画撮影と、ストロボが不要な動画撮影を適時に選択できるので、モード切替ボタン１２の操作は不要となる。
ユーザが撮影中にストロボを使用したい場合には、図３（Ｃ）の様にロックレバー１１の操作部１１ａを第３位置３ｃ（手動ポップアップのアップ位置）へ動かせば、前述したようにロックレバー１１のフック部１１ｂが発光部１０の凹部１０ｂから外れる。よって、図６（Ｅ）の様に発光部１０がポップアップする。その後、ロックレバー１１の操作部１１ａを放せば、第２位置３ｂ（手動ポップアップのダウン位置）へ戻る。
【００２６】
また、ユーザが発光部１０を撮像装置本体１に収納したいときには、図６（Ｅ）の状態から、発光部１０を手で押し下げて収納位置へ移動させる。図７（Ｅ）の様に発光部１０の凹部１０ｂにロックレバー１１のフック部１１ｂが係止して、再び発光部１０を収納位置に戻すことができる。
そして、撮影終了後にメインスイッチ７がＯＦＦ状態になると、カムフォロア２２が移動してリンクレバー２９を押し始める。前述の様に第二バネ３０は第一バネ２７より強いので、第二バネ３０の力でストッパー２９ａがリンク２６の受け面２６ａに当たった状態を維持したまま、一体となって時計回り方向に回転し、発光部１０を収納方向へ移動させる。そして発光部１０が収納される。
【００２７】
本実施形態では、収納時にカムフォロア２２からリンクレバー２９へ伝わる作動力によって、発光部１０を自動的にポップアップ位置から収納位置へ移動させることができる。さらにカムフォロア２２が図６（Ａ）の位置まで移動するので、リンク２６は固定されたまま、リンクレバー２９だけが第二バネ３０のチャージを行いながら反時計回り方向に回転する。したがって、発光部１０が収納された状態で、さらにリンクレバー２９を収納する方向へ付勢できるので、確実に収納状態を維持することができる。なお、このときロックレバー１１の操作部１１ａが第２位置３ｂ（手動ポップアップのダウン位置）にあったとしても、発光部１０は図６と同様の動きによって収納位置へ移動するので、確実に発光部１０の収納状態を維持できる。
以上の構成により、本実施形態では、起動時に鏡筒がカメラ前方に繰り出す動作に連動して発光部がポップアップする、ポップアップ式ストロボを搭載する撮像装置において、簡単な構成で「必要時ポップアップ方式」に切り替えることができる。ストロボが不要な動画撮影モードでの起動時にはストロボの発光部がポップアップしないので撮影の妨げにはならない。また、ストロボを使う可能性がある静止画撮影モードでの起動時には、ストロボの発光部が自動的にポップアップするため、ユーザが撮影機会を逃さないように防止できる。
【符号の説明】
【００２８】
１    撮像装置本体
３ａ  第１位置（自動ポップアップ位置）
３ｂ  第２位置（手動ポップアップのダウン位置）
３ｃ  第３位置（手動ポップアップのアップ位置）
５    鏡筒ユニット
１０    発光部
１１    ロックレバー
１１ａ  操作部
１７    駆動リング
２２    カムフォロア
２９    リンクレバー
３７    ロックバネ
４０    検出スイッチ
【図１】
0005721415.tif 000002
【図２】
0005721415.tif 000003
【図３】
0005721415.tif 000004
【図４】
0005721415.tif 000005
【図５】
0005721415.tif 000006
【図６】
0005721415.tif 000007
【図７】
0005721415.tif 000008